Podtech/llm-jp-corpus-v4-ja_patent huggingface dataset:
(57)【要約】【課題】  コードの長さ調整及び収納を行う、携帯性に優れたコード収納式携帯型音楽再生装置用ケースを提供する。【解決手段】  携帯型音楽再生装置の外周部に沿ってコードを巻き付け収納するコード収納用隙間部を設けたケースにより、コードの長さを調整し収納するという課題を解決する。【選択図】  図２
0003115968.tif 000002
【実用新案登録請求の範囲】
【請求項１】
携帯型音楽再生装置の外周部に沿ってイヤホンコードを巻き取り収納する収納溝をケース内側に設けた事を特徴とするコード収納式携帯型音楽再生装置用ケース
【請求項２】
請求項１に於いて、携帯型音楽再生装置を該ケースに係止する溝を該ケース底部に設けたことを特徴とするコード収納式携帯型音楽再生装置用ケース
【請求項３】
請求項１に於いて、携帯型音楽再生装置を該ケースに係止する爪を該ケース底部に設けたことを特徴とするコード収納式携帯型音楽再生装置用ケース
【考案の詳細な説明】
【技術分野】
【０００１】  本考案は、携帯型音楽再生装置のイヤホンコードの収納に関する物である。
【背景技術】
【０００２】  従来の技術思想では、携帯型音楽再生装置のイヤホンコードはリール形状の器具に巻取る方式により長さの調整及び収納が行われていた。
【考案の開示】
【考案が解決しようとする課題】
【０００３】  本考案はコードの長さ調整及び収納を行う、携帯性に優れた携帯型音楽再生装置の収納ケースを提供する。
【課題を解決するための手段】
【０００４】  本考案は携帯型音楽再生装置の外周部に沿ってコードを巻き付け収納するコード収納用隙間部を設けたケースにより、コードの長さを調整し収納するという課題を解決する。
【考案の効果】
【０００５】  上記のように本考案のコード収納式携帯型音楽再生装置用ケースを使用することで、イヤホンコードの長さを容易に調整することが出来る。またケース内にコードを収納出来るため複雑な機構の巻き取り装置を用いることなく軽量化が可能であり、使用者は好みのイヤホンのコードの長さを自在に調節して使用することが出来る。本考案の実施によりコードのからみを防止し、余分なコードの処理の問題を解決することが出来る。
【考案を実施するための最良の形態】
【０００６】  携帯型音楽再生装置を係止させる溝部を設けた底部と該再生装置にイヤホンコードを巻き取り配置可能な隙間部を持たせた側部からなり、側部の一部にイヤホンコードを取り込み取り出す開口部を設けたケース。イヤホンコードは該再生装置をケースに配置した後、該再生装置と側部との間のコード収納用隙間部に巻きながら挿入し収納する。コード収納用隙間部への巻き数を加減する事で、イヤホンコードの長さを調整できる。
【実施例】
【０００７】  以下、添付図面に基づいて実施例を説明する。
図１は本考案のコード収納式携帯型音楽再生装置用ケースの平面である。２は携帯型音楽再生装置を係止させる溝であり、１ｂはコードを取り込み取り出す開口部、１ｃは音楽再生装置の操作部用開口部である。【０００８】  図２は該ケース１に携帯型音楽再生装置５を配置し、該ケースの側部１ａと該再生装置５の間に設けたコード収納用隙間部３にイヤホンコード６を巻きながら挿入し収納した実施例の平面図である。ケース底面の溝部２に本体５が係止されているためコード収納用隙間部３へのコードの収納は容易に行うことが出来る。【０００９】  図３は該ケース１に携帯型音楽再生装置５とイヤホンコード６が巻きながら収納される配置関係の断面図である。８はケースの蓋であり、５ａは該音楽再生装置５の操作部である。図４は実施例の配置の俯瞰図である。本体５に対してケース１は外周がコードの太さ程度の拡大ですむため、本体の小ささを損なうことなく携帯性に優れたケースを提供することが出来る。８ａは吊り下げひも用の取り付け穴である。【００１０】  図５はコード収納用隙間部３を独立させた実施例である。コード収納用隙間部３を独立させるため本体５との間に内壁１ｄを設ける。
図６は独立したコード収納用隙間部３にイヤホンコード６を巻きながら挿入した実施例の平面図である。内壁１ｄを設けるためにケース１は全周にわたって内壁１ｄの厚み分拡大するが、コードの巻き取りは安定するという効果がある。この方法は本体５の側面が曲面で形成された携帯型音楽再生装置のコードを巻き取る場合に効果がある。【００１１】  図７は本体５の側面が曲面で形成された携帯型音楽再生装置をケースに固定する爪１ｅを内壁１ｄに設けた実施例である。図８は上記ケースにコードを収納した状態の断面である。内壁１ｄと爪１ｅにより該再生装置とケースは係止され、イヤホンコード６を容易にコード収納用隙間部３に収納することが出来る。
【図面の簡単な説明】
【００１２】
【図１】コード収納式携帯型音楽再生装置用ケースの平面である。
【図２】コードを巻き取り収納した状態の平面である。
【図３】コードを巻き取り収納した状態の断面である。
【図４】コードとケースと該本体の配置関係の俯瞰図である。
【図５】コード収納部を独立させた実施例の平面である。
【図６】コード収納部を独立させ、コードを巻き取り収納した状態の平面である。
【図７】曲面形状の該装置を固定する爪を配置した状態のケースの平面である。
【図８】爪を配置したケースにコードを巻き取り収納した状態の断面である。
【符号の説明】
【００１３】１ケース
２携帯型音楽再生装置用係止用溝
３コード収納用隙間部
４プラグ
６イヤホンコード
７イヤホン
８蓋
【図１】
0003115968.tif 000003
【図２】
0003115968.tif 000004
【図３】
0003115968.tif 000005
【図４】
0003115968.tif 000006
【図５】
0003115968.tif 000007
【図６】
0003115968.tif 000008
【図７】
0003115968.tif 000009
【図８】
0003115968.tif 000010
(57)【要約】      （修正有）【課題】この器具を付ける事により、包丁で指、爪を傷つけることなく材料を切る事ができるようにする。【解決手段】ａに人差し指を、ｂに中指を入れ装着する事で、指を保護し、包丁をｃ面に当てて切ることによって安全に千切り等ができる。【選択図】図２
0003115931.tif 000002
【実用新案登録請求の範囲】
【請求項１】
包丁を持つ手の反対側の指に板状の器具を付けることによって、誤って指を切らないようにする器具です。
【考案の詳細な説明】
【技術分野】
【０００１】  本考案は、包丁を持つ手の反対側の指に板状の器具を装着する、調理補助器具に関するものです。
【背景技術】
【０００２】  包丁によって指を切る、爪を傷つける等の理由から、包丁を怖がり千切り等を上手にできない方が多くなっている。
【考案の開示】
【考案が解決しようとする課題】
【０００３】  電気調理器具、スライサー等便利な物も有りますが、これから料理を始めようとする人には、基本である包丁で切る事を怖がらないでできます。またこの器具を装着することによって、食材側においている指のかたち、包丁で切る姿勢等基本的な事も身につきます。
【課題を解決するための手段】
【０００４】  本考案は、包丁を持つ手の反対側の食材においている手の指に板状のものを装着します。指は、人差し指と中指です。人差し指は、板状のものに付いている指入れに、中指は、板状のものからＶ時に伸びている所にある指入れに入れます。板状のものと中指の間に少し距離を置くことで、食材においている手がリラックスできます。また、板状の物の親指の近くで親指側に少し曲げます、その事によって親指を保護します。
【考案の効果】
【０００５】  この器具を装着し、板状の面に沿って切るので、指を切る心配もなく、早くほそ切り等が出来ます。
【考案を実施するための最良の形態】
【０００６】  料理をする上で、野菜をスライス、千切り等する時。
【実施例】
【０００７】  以下、添付図面に従って一実施例を説明します。１は耐久性のプラスッチク等の適正素材にて一体形成された調理補助器具。
【産業上の利用可能性】
【０００８】  この器具は、子供から大人まで男女問わず、安心して包丁を持って料理が出来ます。特に指を切ることなく千切りが出来ます。
【図面の簡単な説明】
【０００９】  ａに人差し指、ｂに中指を入れてｃ面部分を包丁が当たるよう使用する。【図１】  本考案の調理補助器具の正面図です。
【図２】  本考案の調理補助器具の上面図です
【符号の説明】
【００１０】  ａ  人差し指入れ
ｂ  中指いれ
ｃ  側面
【図１】
0003115931.tif 000003
【図２】
0003115931.tif 000004
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
【実用新案登録請求の範囲】
【請求項１】
プラスチックス製の板状に指いれを二つ付け、二つの指入れには人差し指と中指を入れるようにし、親指の保護のために板状の物を親指側に曲げてあり、この器具を、包丁を持つ手の反対側の指に付けることによって、誤って指を切らないようにする器具です。
(57)【要約】      （修正有）【課題】ペットボトル等の蓋の置き場所確保と蓋の紛失を防ぐ事が出来るキャップの提供。【解決手段】飲用容器（ペットボトル等）のキャップの蓋上部に粘着面保護シール付き両面テープを貼る事により、キャップ（蓋）そのものをボトル本体か他所に貼り付けて蓋の置き場所確保にする、それによりキャップ（蓋）の紛失防止につながる。【選択図】図２
0003115933.tif 000002
【実用新案登録請求の範囲】
【請求項１】
飲用容器（ペットボトル等）の蓋を本体等に貼り付けておくために、蓋（キャップ）の上部に両面テープを貼り、飲用時に蓋の置き場所になり蓋の紛失を防ぐ。
【請求項２】
蓋の上部の両面テーブは通常時には、他に張り付かないため、又はゴミ等を拾わない為に保護シールを付け、蓋の開閉時にはシールを元に戻せるようにして両面テープ部の保護を行う。
【考案の詳細な説明】
【技術分野】
【０００１】この技術はペットボトル等の蓋を本体等に貼り付けるため考案した
【背景技術】
【０００２】キャップ（蓋）の置き場所が定まらない為、飲用時に蓋の置き場所に困った。
【考案の開示】
【考案が解決しようとする課題】
【０００３】ペットボトル等の蓋の置き場所確保と蓋の紛失を防ぐ事。
【課題を解決するための手段】
【０００４】ペットボトルの蓋上部に表面保護シール付き両面テープを貼る。
【考案の効果】
【０００５】飲用時に蓋上部の両面テープ保護シールを剥ぎ、両面テープの粘着面を出して蓋をボトル本体か違う場所に貼り付ける。
【考案を実施するための最良の形態】
【０００６】既存の蓋の形状に合った保護シール付き両面テープが最良の形態。
【実施例】
【０００７】図２で示すようにキャップ（蓋）上部に保護シール付き両面テープを貼り、蓋を本体又は他所に貼り、蓋の置き場所確保と紛失を防止する。
【産業上の利用可能性】
【０００８】５００ミリリットル等の一般的なペットボトルは広く普及しているが、キャップ（蓋）の置き場所に困ってしまいます、飲んだらその都度蓋をしなければならない、とっさの時に本体に貼り付けておけたら助かり、構造上・技術上難解でもなく産業化し易く利用可能性は高い。
【図面の簡単な説明】
【０００９】
【図１】本考案を示す斜視図です
【図２】本考案の実施例を示す斜視図です
【符号の説明】
【００１０】１ａ  両面テープ装着時と保護シールのキャップ装着状態
２ａ  キャップを本体から外した状態
３ａ  両面テープ装着したキャップを本体に貼り付けた（使用した）状態
【図１】
0003115933.tif 000003
【図２】
0003115933.tif 000004
【手続補正書】
【提出日】平成17年8月3日(2005.8.3)
【手続補正１】
【補正対象書類名】実用新案登録請求の範囲
【補正対象項目名】全文
【補正方法】変更
【補正の内容】
【実用新案登録請求の範囲】
【請求項１】
蓋の上部に両面テープを貼ったことを特徴とする飲用容器。
【請求項２】
前記両面テープに保護シールを付けたことを特徴とする請求項１記載の飲用容器。
(57)【要約】      （修正有）【課題】主に自転車に乗る時やガーデニングなど屋外活動時、帽子だけでは被い切れない、紫外線による日焼けを防ぐ為の、どんな帽子にも対応でき、尚且つファッション性に富む、フェイスカバーを提供する。【解決手段】フェイスカバーに紐を付けて頭部に直接被る。【選択図】図１
0003115938.tif 000002
【実用新案登録請求の範囲】
【請求項１】
フェイスカバーに紐を取り付け、単独で直接頭部に着けられるようにした形態。
【考案の詳細な説明】
【技術の分野】
【０００１】本考案は帽子を被る前に頭部に着ける紫外線防止の為のものである。
【背景技術】
【０００２】主に自転車に乗る時など、帽子やサンバイザーでは被い切れない顔面や首の部分に日焼けが起こる。紫外線による日焼けは、シミやシワの原因となるばかりで無く、皮膚がんの原因とも言われており、これを如何に防ぐかが問題である。
【考案の開示】
【考案が解決しようとする課題】
【０００３】顔や首筋など、帽子で被いきれない部分の日焼けを解決する為、帽子に取り付けるフェイスカバーはあるが、取り付けられる帽子の種類が、全体につばのある帽子に限られていた。最近は自転車にも、ヘルメットの着用が勧められていることもあり、様々な帽子に対応でき尚且つ、ファッション性に富むものが求められている。
【課題を解決する為の手段】
【０００４】フェイスカバーを頭部に着ける為、平紐２本で固定する事を考案した。
【考案の効果】
【０００５】フェイスカバーを直接頭部に装着できる為、どんな帽子にも対応でき、紫外線から肌が守れる。
【考案を実施するための最良の形態】
【０００６】フェイスカバーに平紐を取り付け、交差した所を固定し、顔の大きさの違いに対応する為、平紐にボタンを付け、本体にボタンホールを２個付け、長さの調節ができるようにした。
【実施例】
【０００７】添付図面
【図３】
のとおりである。
【図面の簡単な説明】
【０００８】
【図１】はフェイスカバー装着時。
【図２】はフェイスカバー装着後、帽子を被ったところ。
【図４】はフェイスカバーの紐を長く設定し装飾性を高めた例。
【符号の説明】
【０００９】▲１▼前布    ▲２▼後ろ布    ▲３▼平紐    ▲４▼ボタン  ▲５▼ボタンホール
【図１】
0003115938.tif 000003
【図２】
0003115938.tif 000004
【図３】
0003115938.tif 000005
【図４】
0003115938.tif 000006
【手続補正書】
【提出日】平成17年7月27日(2005.7.27)
【手続補正１】
【補正対象書類名】実用新案登録請求の範囲
【補正対象項目名】全文
【補正方法】変更
【補正の内容】
【実用新案登録請求の範囲】
【請求項１】
・顔を被う布に紐を取り付け、頭部に単独で直接着けられるようした形態のフェイスカバー。
【手続補正２】
【補正対象書類名】明細書
【補正対象項目名】０００８
【補正方法】変更
【補正の内容】
【０００８】
【図１】はフェイスカバー装着時。
【図２】はフェイスカバー装着後、帽子を被った例。
【図３】は各部品に符号を付けたフェイスカバーの詳細図。
【図４】はフェイスカバーの紐を長く設定し装飾性を高めた例。
(57)【要約】      （修正有）【課題】清掃の効果がよく又、細菌、カビに対しても優れた効果を有して安価な空気清掃機を提供する。【解決手段】一方の端に空気吸引機を持ち、他方の端に入り口をもつ管の中間の部に電熱器を装着した空気清掃機。【選択図】図１
0003115935.tif 000002
【実用新案登録請求の範囲】
【請求項１】
一方の端に空気吸引機を持ち、他方の端に入り口を持つ管の中間の部にデンキヒーターを有する構造になった空気清浄機。
【考案の詳細な説明】
【産業上の利用分野】
環境、衛生上に関するものである。
〔従来の技術〕
【０００１】      悪臭、煙、塵、ごみ等に汚された空気をきれいにしたいという願いは昔からあり、色々工夫されてきている。フィルターによる装置や、静電気、イオンを発生させる装置などがあり、フィルターには紙、布、合成繊維、金網などの固体や、油や水のような液体などがある。又静電気、イオンを電気発生をするもの等があり、すべて広く用いられている状況である。
〔本案が解決しようとする課題〕
【０００２】      植物繊維の紙や布、合成繊維や金属繊維等の間を空気がとおり、その間にごみや塵、煙や臭いがろ過されて、きれいな空気になって出てくるという方法もよく行われているが、その効果は尚不十分である。又カビや細菌に対してはほとんど無力であるといっても過言でない。又静電気発生の空気清浄機は極めて優秀で、多くのちり、ごみ、煙、悪臭に対しても、又かび、細菌に対しても優れた効果を有しているが、高価な点が短所であった。そこで効果がよく、安価なものが求められていたのである。
〔課題を解決するための手段〕
【０００３】      色々な臭い、塵、ごみは火に弱いのである。又細菌やかびも熱や火に弱い性質がある。そこでこの高熱の中や火の中へ空気を送り込むのである。この高熱の中や火の中を通る事によって、色々の悪臭や煙、カビ、細菌等を含んだ汚れた空気はきれいな空気に変わっていくのである。
【０００４】      即ち管の先に取り付けた空気吸引機によって、汚れた空気は管の入り口から管を通って吸引機の方へと流れていくのであるが、その管の中間に置かれた電熱線によってすべての悪臭等々が消失していくのである。絶縁と断熱を十分に考慮し、十分に固定された電熱線の中を空気が通り、すべてのものが処理されてきれいな空気となったものが吸引機の方へと流れていくのである。
〔実施例〕
【０００５】      長さ３０ｃｍ直経５ｃｍのセラミック棒の内部に８個の円柱状の穴を作り、その中に電熱線をいれ、電気のコードは外にだしておく。
次に電気清掃機の管の接合部を上下に分離し、上記の電熱線のはいったセラミック棒を中にいれ、コードを外に出して外に接続する。断熱、絶縁には十分注意し、又管の中での固定も確実にし、セラミック棒が管の移動にも動かないようにする。
そして掃除機の管は元通りにしておくのである。掃除機のスイッチをいれれば空気は管を通って吸い込まれ、電熱線を通ってモーターの方へといくのである。この間に空気はきれいになって出てくるのである。
〔考案の効果〕
【０００６】煙、悪臭、塵、ごみ、細菌、カビ等が空気中にあるといろいろ困るのであるが、本考案の電気清掃機を使用すると、空気は大変きれいになってくるのである。構造は簡単、作成は容易安価である。
【図面の簡単な説明】
【０００７】〔図１〕              斜位図
〔図２〕              正面図
〔図３〕              側面図
〔図４〕              水平面図
【符号の説明】
Ａ．．．．．．．．．．．．．．．．．空気吸引モーター
Ｂ．．．．．．．．．．．．．．．．．ヒーター
Ｃ．．．．．．．．．．．．．．．．．管
Ｄ．．．．．．．．．．．．．．．．．断熱絶縁のセラミック
Ｅ．．．．．．．．．．．．．．．．．電気コード
【図１】
0003115935.tif 000003
【図２】
0003115935.tif 000004
【図３】
0003115935.tif 000005
【図４】
0003115935.tif 000006
【手続補正書】
【提出日】平成17年7月25日(2005.7.25)
【手続補正１】
【補正対象書類名】実用新案登録請求の範囲
【補正対象項目名】全文
【補正方法】変更
【補正の内容】
【実用新案登録請求の範囲】
【請求項１】
円管の片方の口を空気の吸入口とし、その円管の中間の部には電気ヒーターを内蔵し、その円管の今一方の口には空気排出機を持つ構造の空気清掃機。
(57)【要約】      （修正有）【課題】降雪地域において、積雪を動力を使用せずに除雪する。【解決手段】降雪は雪受上皿６と雪受下皿７に入り、その重量と屋根９の傾斜を利用し万有引力の法則により、順次下方に移動し、屋外に放棄する。  この装置は諸動力を必要とせず、降雪量に応じ運行開始と、停止は自然に行なわれる。【選択図】図１
0003115939.tif 000002
【実用新案登録請求の範囲】
【請求項１】
各種動力源を使用せず、自動的に降雪による災害を防除する除雪装置
【考案の詳細な説明】
【技術分野】
【０００１】  降雪地域における屋根に積雪する除雪装置に関するもの。
【背景技術】
【０００２】  この種の除雪装置としては特開昭５９−１９９９６３号公報に開示されているように、プーリーに線材を捲装し雪下ろしする機構や、特開昭６１−１９６０５５号公報に開示されている雪かき部材の周設移動による除雪装置、さらに特開昭６１−１４６３１７号公報に開示されているチエンに固定された雪掻器の移動による雪卸機などの除雪技術が知られている。【０００３】  また、特開平０５−２８０１６９号公報に開示されているように、屋根のカバー部材を循環移動させ除雪する装置や、特開平０６−１０５３６号公報に開示されているように、除雪棒を往復動させ除雪する技術も知られている。【０００４】  さらに、特開平１０−１４０８７７号公報に開示されているように、シート状物を屋根の傾斜部の上下方向にエンドレスに移動させ除雪する装置や、特開２００１−２０７６８６号公報に開示されているように、無端ベルトに取り付けられた除雪棒を楕円状の回転軌跡にそって移動させ除雪する装置による技術も知られている。
【考案の開示】
【考案が解決しようとする課題】
【０００５】  しかし、前者の技術では、いずれもモーター等の動力源を必要とし、災害時などや、事故などにより、その動力源も得られない場合もあり得る。【０００６】  その上、降雪は昼夜を問わない。そのため一夜のうちに、過大な雪量での家屋の倒壊や損壊も起こり得る。それを防ぐための雪おろし作業は、常に危険がともない、多大な労力と時間を要し、降雪地帯の労苦は大変苛酷なものである。
【課題を解決するための手段】
【０００７】  自然現象である降雪のため、その降る量は時により状況も異なる。しかし最初から大量に降るわけではないので、少量の降雪時から順次排除すれば、家屋倒壊等を防ぐための雪おろしは必要ではなくなる。【０００８】  少量の降雪でも屋根一面に積もればそれ相応の重量があるので、その雪を雪受上皿６、雪受下皿７に受け、その重量と屋根の傾斜を利用し、万有引力の法則により逐次下方に運び、屋外に投棄する装置を考案した。
【考案の効果】
【０００９】  多量の降雪が屋根に積もれば、その重量で家屋の倒壊や、損傷を起こす。そのため屋根に登り、雪おろしが行なわれていたが、危険であるとともに、重労働であった。本考案の防除する装置を用いた場合は、自然運行による降雪排除となり、人身災害は起こらない。【００１０】  さらに僅かの積雪であっても除雪装置が自動的に稼働をするため、積雪の落下や家屋倒壊等の不安はなくなり、常に安心して生活する事ができる。【００１１】  従来の雪おろし作業は、必要かつ止むを得ないものであったが、時間、労力ともに、消費的で不経済であった。本考案装置の設置により、その時間や労力を、有効な生産的なものに変えることができる。その経済的効果は多大である。【００１２】  装置の運行に石油や電力などの動力源を使用しないので、資源保護にも役立ち、無公害である。
【考案を実施するための最良の形態】
【００１３】  屋根９の傾斜と、雪受上皿６、雪受下皿７に積もった雪の重量と引力により、図１より図２の方向へと、順次下方に移動し、屋外に雪を投棄する。図３の雪受上皿６と隣接する雪受上皿６との隙間を補うため雪受下皿７があり、全降雪量を受けることになる。【００１４】  雪が降り初め、順次雪受上皿６、雪受下皿７に降り積もり、やがて一定量となると、その重量と屋根９の傾斜と引力の作用により、順次下方に移動し図２の家屋屋上部の軒先部分において、雪受上皿６、雪受下皿７が反転し、その中にあった雪を下方に投棄する。【００１５】  一対のギヤ３により両側の屋根の雪を除去する方法であるが、屋根頂上部に対しても、雪受上皿６と雪受下皿７は、反対側の雪受上皿６と雪受下皿７と、互いに接触することなくして最近接させるべくギヤ３の大きさにより調節する。これにより、屋根頂上部にも積雪することはない。
【実施例１】
【００１６】  降雪量による重量と、屋根９の傾斜を利用し万有引力の法則によるもののため、降雪量に応じ運行開始と停止は自然に行なわれる。
【実施例２】
【００１７】  一対のギヤ３により、両面の屋根９の降雪排除は同時に行なわれる。
【実施例３】
【００１８】  家屋の大小や、屋根９の広さに応じ、チエンギヤ４、チエン５、雪受上皿６、雪受下皿７などの増減により対応する。
【図面の簡単な説明】
【００１９】
【図１】  家屋屋上部分の本考案装置を設置した側面図。
【図２】  家屋屋上部の軒先部分の側面図。
【図３】  本考案装置の正面図。
【図４】  雪受上皿６の側面図。
【図５】  雪受下皿７の側面図。
【符号の説明】
【００２０】  １  上軸
２  軸受台
３  ギヤ
４  チエンギヤ
５  チエン
６  雪受上皿
７  雪受下皿
８  軸受兼用取付具
９  屋根
１０  下軸
【図１】
0003115939.tif 000003
【図２】
0003115939.tif 000004
【図３】
0003115939.tif 000005
【図４】
0003115939.tif 000006
【図５】
0003115939.tif 000007
【手続補正書】
【提出日】平成17年7月28日(2005.7.28)
【手続補正１】
【補正対象書類名】実用新案登録請求の範囲
【補正対象項目名】全文
【補正方法】変更
【補正の内容】
【実用新案登録請求の範囲】
【請求項１】
屋根の頂上部と軒先部に回転する軸を設け、その軸に付設したチェンギャとチェンに連結した雪受け上皿と雪受け下皿を設けた装置により、降雪重量と屋根の傾斜を利用して、雪受け皿に入った雪を自動的に投棄するもので、各種動力源を使用せず、自動的に降雪による災害を防除する除雪装置。
(57)【要約】      （修正有）【課題】石膏ボードを使って壁を、貼った建築物が非常に増えているが、その壁に棚板を取り付ける場合い棚受け桟が釘や木ビス等で取り付けても、すぐに緩んでしまい、ボルト締め等にすると、取り外した時に石膏ボード傷ができる。取り付けや、取り外しを簡単にできる棚受け桟を提供する。【解決の手段】棚受け桟にあらかじめ目的の方向に釘が打てる様に釘穴をあけしかも釘の頭の部分が窪みに入り釘の頭を棚板のこぐちで押して緩まないようにする。棚受け桟を取り付ける為に桟の壁面側に両面テープを付けておき、仮止めをしやすくしたものである。【選択図】図３
0003115949.tif 000002
【実用新案登録請求の範囲】
【請求項１】
階段型傾斜穴付き棚受け桟に斜め前方下方向・斜め後方下方向に交互の釘穴を貫通させ内側の上部に釘の頭が隠れるように窪みの穴を掘ったものである
【請求項２】
階段型傾斜穴付き棚受け桟壁面側になる方に両面テープを貼って仮止めが簡単に出来るようにしたものである
【考案の詳細な説明】
【考案の詳細な説明】
【０００１】石膏ボードの壁に棚板を取り付ける為に棚受け桟を打ち付けるが、その桟１にあらかじめ両面テープ２を貼ってある方を壁に仮止めしたのち斜め前方下方向４・斜め後方下方向５に交互の釘穴から釘を打ち釘の頭が窪み３に隠れるまで打ち込む事が出来る様にしたものである。
次に、棚板６をのせると棚板の木口７が釘の頭に当たるため釘が緩んで抜けることがない、、棚受け桟は釘が「ハ」の字状になるため棚受け桟は引っ張っても取れない
【技術分野】
【０００２】石膏ボードの壁に棚受け桟を取る付けるとき両面テープの付いている方を壁に仮止めして、釘を斜め前方下方向・斜め後方下方向に貫通している釘穴から必ず打つ事が出来る、そして、交互に打ち込むと「ハ」の字状になるし、窪みに釘の頭が入り込むので、誰でも簡単に取り付けが出来る
【背景技術】
【０００３】棚受け桟を接着剤を付けて取り付けるか、石膏ボードにプラスチックを挟んでその上からくぎを打つか、石膏ボードを貫通してその奥のコンクリートの壁に鉛やプラスチック埋め込んで、木ネジで取り付けていた。
【考案が解決しようとする課題】
【０００４】従来の方法では石膏ボードに大きな穴をあけていたが棚受け桟を取りはづすと穴があいたり石膏ボードが破れて困っていた。
【課題を解決する為の手段】
【０００５】棚受け桟に斜め前方下方向・斜め後方下方向に釘穴が貫通している為に細い釘を打ちやすいし釘を抜いても、小さな釘穴しかのこらない
【考案の効果】
【０００６】あらかじめ両面テープを貼ってある為仮止めが出来て、その後釘を打てるから棚受け桟の取り付けが簡単である
【図面の簡単な説明】
【図１】  階段型棚受け桟の斜視図である
【図２】  階段型棚受け桟の斜め切断面で貫通した釘穴を示したものである
【図３】  階段型棚受け桟正面透視断面図を示したものである
【符号の説明】
１．階段型棚受け桟
２．両面テープ
３．釘頭のはいる窪み
４．斜め前方斜め下方向の釘穴
５．斜め後方斜め下方向の釘穴
６．棚板
７．棚板の木口
８．石膏ボード
【図１】
0003115949.tif 000003
【図２】
0003115949.tif 000004
【図３】
0003115949.tif 000005
(57)【要約】【課題】より使いやすく健康効果を付加しやすい足浴機を提供する。【解決手段】人体の足部を暖めるための足湯機ないし足浴マッサージ機において、人体足部と湯水を共に収容するための容器部本体１の上縁部に柄付き把手５を設けるとともに、底下部にキャスター６を取り付ける。また容器部本体１の少なくとも側面に薬石類７を配設する。【選択図】図１
0003115982.tif 000002
【実用新案登録請求の範囲】
【請求項１】
人体の足部を暖めるための足湯機ないし足浴マッサージ機において、人体足部と湯水を共に収容するための容器部本体の上縁部に柄付き把手を設けるとともに、底下部にキャスターを取り付けたことを特徴とする足浴機。
【請求項２】
上記容器部本体の少なくとも側面に薬石類を配設した請求項１記載の足浴機。
【考案の詳細な説明】
【技術分野】
【０００１】この考案は、いわゆる足浴機等において、健康機能の一層の向上をはかるための足浴（マッサージ）機に関する。
【背景技術】
【０００２】頭寒足熱の言葉で知られる通り、健康法のひとつとして足部を暖めるための各種健康器具があるが、代表的なものとしていわゆる足浴機、足浴マッサージ機、或いは足湯機と称するものが一般に市販されている。これらはいずれも足部を暖めるための湯を収容する容器部本体１を有しており、通常は単にその中に両足と湯を容れるのみでなく、例えばマッサージローラー２や気泡吐出口３、或いは電気装置とともに温度、気泡、振動などを付与、制御する操作パネル４なども設けてより機能性をもたせているのが通常である。
【考案の開示】
【考案が解決しようとする課題】
【０００３】このような足浴マッサージ機（以下、足浴機と総称する）は、全身浴はもとより半身浴よりさらに簡易に実行することができ、心臓や血圧などに負担をかけることなく成果をあげていることから、愛好者も増大しつつあるが、一方ではその長所を損なうことなくより一層の健康効果や利便性をもたせることも要望されている。本考案はかかる現状から、より使いやすく健康効果を付加しやすい足浴機を提供することを課題とする。
【課題を解決するための手段】
【０００４】人体の足部を暖めるための足湯機ないし足浴マッサージ機において、人体足部と湯水を共に収容するための容器部本体１の上縁部に柄付き把手５を設けるとともに、底下部にキャスター６を取り付けて、本考案の足浴機Ａとする。【０００５】なお容器部本体１の少なくとも側面には、薬石類７を配設することによって一層健康機能上好ましいものにすることができる。すなわちここでいう薬石類７とは例えば段戸石や麦飯石などのようにある程度の重量を有する下記のような健康機能性鉱物のことをいう。【０００６】上記の健康機能性鉱物として、例えば段戸石、麦飯石、医王石、トルマリン、磁性鉱物、ある種の火山れき、遠赤外線放出性鉱物、放射性ホルミシス鉱物、或いはこれらを焼成したセラミックス成形物などが挙げられる。いずれの場合も広い意味での健康促進をはかる機能を有するとされることから、ここでは便宜上「健康機能性鉱物」と総称する。その健康促進機能を説明する理論的根拠としては、マイナスイオン、遠赤外線、放射線ホルミシス効果、イオン化ミネラル、活性水素、生体電流に対する磁気作用などが言われている。【０００７】かかる薬石類７を、例えば図面のように板体にしてタイルのように貼着或いは埋め込んで配設する。原則として側面に配設するが、必要に応じ底面上に（多数の突起が形成されるように）配設してもよい。
【考案の効果】
【０００８】本考案はこのような構成であるから、これを用いる際には、先ず足浴をすべき場所を選び、そこに当該足浴機Ａを運ぶことになる。その際、底下部にキャスター６が付いているから、柄付き把手５を持つことにより甚だ楽に運搬移動でき、やや体が不自由な人でも自力でそれが可能となる。さらに湯水の注入や排水、或いは清掃等の際にも、このように容易に移動できると甚だ使い勝手が良くなり、また重量のかさむ薬石類を取り付けて、より健康促進機能を付与させたものにできるなどの効果がある。
【考案を実施するための最良の形態】
【０００９】両足を収容するに足る内径を有するＦＲＰ製容器部本体１の側面にタイルないし石板状の段戸石（愛知県段戸山産）を数枚又はそれ以上貼着する。製造工程にもよるが、原則としてその段戸石の板は下端が一部接着剤中に埋設した形で強固に敷設される。容器本体１の上縁後端部に柄付き把手５を設けるが、その柄はスライド又は回転倒しにより把手部が上下できるようにする。底下部には通常のキャスター６を４個設置し、これらにはストッパー機構が設けられている。【００１０】他の部分は原則として通常の足浴マッサージ機の形態を踏襲するものとし、湯水吐出口８や排水パイプ９も設け、ヒーター（図示せず）に接続する電源にコードを繋いで設置、使用するものとする。なお様々な派生的形態、デザインがあることは言うまでもない。
【産業上の利用可能性】
【００１１】このような本考案の足浴機は、ユーザーにとってはさらなる健康促進機能と薬石などによる美観向上と相俟って、頻繁に移動でき使い易くなるので甚だ歓迎できるものであり、製造も甚だ現実的に可能なものであるから、産業上の利用可能性は十分であるといえる。
【図面の簡単な説明】
【００１２】
【図１】本考案一例の側面図
【図２】本考案一例の平面図
【符号の説明】
【００１３】１……容器部本体
２……マッサージローラー
３……気泡吐出口
４……操作パネル
５……柄付き把手
６……キャスター
７……薬石類
８……湯水吐出口
９……排水パイプ
Ａ……足浴機
【図１】
0003115982.tif 000003
【図２】
0003115982.tif 000004
(57)【要約】【課題】複数の材料を混合、練り混ぜを行う手動式ミキサ−に於いて、材料を均一に混合し、作業効率を良くし、簡単な装置で市販品のバケツを使用して混合、練り混ぜを行う。【解決手段】手動式ミキサ−は、中心軸に沿って回転させるハンドル１、とその中心軸に直接固定されている下側のつっぱり２と、中心軸に固定されない上下に移動できる上側のつっぱり３と、つっぱり２と３に取り付けられた撹拌羽根４をそなえる構造であって、市販品のバケツ５に装着し、バケツごと回転させて混合、練り混ぜを行う。その後、手動式ミキサ−を取り外しそのまま運搬する。【選択図】図３
0003115987.tif 000002
【実用新案登録請求の範囲】
【請求項１】
複数の材料を混合、練り混ぜをする手動式のミキサ−に於いて、中心軸に沿って回転させる手動式のハンドルと、前記ハンドルに取り付けられた上下のバケツを押さえつけるためのつっぱりと、前記つっぱりに取り付けられた撹拌羽根とを備えることを特徴とする手動式ミキサ−。
【請求項２】
つっぱりは色々な大きさのバケツに対応させるためと、バケツを押さえつけるために伸縮可能な構造とする請求項１のミキサ−。
【請求項３】
撹拌羽根はバケツの側面に着くよう上下１枚づつあり、上の撹拌羽根は上の材料を下に導くように、下の撹拌羽根は下の材料を上に導くように角度をつけて取り付けられている請求項１〜２記載のいずれかのミキサ−。
【請求項４】
バケツを一定個所で回転させるため、さや管の中に心棒を通し、土台に固定した回転台を設ける請求項１〜３記載のいずれかのミキサ−。
【考案の詳細な説明】
【技術分野】
【０００１】  本考案は、複数の材料を混合、練り混ぜを行う手動式ミキサ−に関する。
【背景技術】
【０００２】  従来、土と肥料などの混合や、少量のモルタルの練り混ぜは平底容器やバケツを用いて移植ベラ及びスコップ等で混合、練り混ぜを行う。【０００３】  なお、本願考案に関連する公知技術として次の特許文献１及び特許文献２及び実用新案文献１を挙げることができる。【０００４】
【特許文献１】  特開平１０−１５９３２２号公報
【特許文献２】  特開２００３−３３９０８号公報
【実用新案文献１】
昭５４−２６２５８号公報
【考案の開示】
【考案が解決しようとする課題】
【０００５】  しかし、前記の方法の平底容器では混合、練り混ぜ後、他の容器に移し替えて運搬しなければならず、バケツで混合、練り混ぜはバケツの底の角の部分の混合が容易でなく均一に混合、練り混ぜができないという欠点があった。【０００６】  また、手作業のため労力が必要となり、作業効率が悪いという問題がある。
【課題が解決するための手段】
【０００７】  本考案は、このような点に考慮し成されたものであり、それは市販のバケツを使用し手動でバケツごと回転させ、混合、練り混ぜを行う。これにより上記課題を解決するものである。
【０００８】  本考案は、市販のバケツを使用するため、いろいろな大きさ、形に対応させるためとバケツを押さえつけるため上下のつっぱりを伸縮できるようにしたことを特徴とした。
【考案の効果】
【０００９】  本考案に係るミキサ−は、市販のバケツを利用したものであり、そのバケツ幅に上下のつっぱりを合わせて手動式ミキサ−を装着し、混合材料を投入し、一定個所で回転させることができる回転台の上で若干傾斜させバケツごと回転させ混合、練り混ぜを行う。それにより、材料が均一に混合し、手動式ミキサ−を取り外せばそのままバケツで運搬することができる。
取り外しはバケツの上部の方が大きいため、そのまま抜き取ることができる。
これらのことから、作業効率が上がり、実用性に優れているものと言える。
【００１０】  尚、回転台は使用しなくても良いが、その場合、バケツの底が地面と接触しているので回転させると移動してしまうため、狭い場所での使用は困難である。
【考案を実施するための最良の形態】
【００１１】  以下、本考案の実施の形態を図面に基づき詳細に説明する。【００１２】  図１はミキサ−の構造図である。中心軸に沿って回転させるハンドル１、とその中心軸に直接固定されている下側のつっぱり２と、中心軸に固定されない上下に移動できる上側のつっぱり３と、つっぱり２と３に取り付けられた撹拌羽根４をそなえる構造である。
尚、図１は市販品のバケツ５に手動式ミキサ−を装着した図である。【００１３】  図２は伸縮可能な構造のつっぱりの代表図である。蝶ネジ６をゆるめてつっぱり７を伸縮させ蝶ネジ６を締め付けて固定する。これは上下のつっぱりとも同じである。【００１４】  図３は回転台の構造図及び使用例である。さや管８の中に心棒９を入れ、土台１０に固定する。
その回転台に図１のバケツに装着したミキサ−を乗せて若千傾斜させ、バケツごと回転させて材料を混合、練り混ぜを行う。
【図面の簡単な説明】
【００１５】
【図１】  図１は市販品のバケツに手動式ミキサ−を装着した図である。
【図２】  図２は伸縮可能な構造のつっぱりの代表図である。
【図３】  図３は回転台の構造図及び使用例である。
【符号の説明】
【００１６】  １        中心軸に沿って回転させるハンドル
２、７    下側のつっぱり
３、７    上側のつっぱり
４        撹拌羽根
５        市販品のバケツ
６        蝶ネジ
８        さや管
９        心棒
１０      土台
【図１】
0003115987.tif 000003
【図２】
0003115987.tif 000004
【図３】
0003115987.tif 000005
(57)【要約】      （修正有）【課題】ポスターを脱着する際の作業性を改善し、また大型のポスターフレームでは、ポスターおよび表面部材の中央部が自重あるいは変形によって撓み、中央部が膨らむ不具合を防止する。【解決手段】低粘着膜を有する底板上にポスターを軽度に貼着する構造とする事により、大型のポスターフレームでも中央部が撓むことがない。また、ポスターの脱着時には、設置位置で脱着作業が可能である。【選択図】図１
0003115986.tif 000002
【実用新案登録請求の範囲】
【請求項１】
底板と、前記底板に隣接して形成もしくは貼着された低粘着膜とからなる低粘着性底板を有することを特徴とするポスターフレーム。
【考案の詳細な説明】
【技術分野】
【０００１】  本考案はポスターや写真等のシート状表示物を収納展示するポスターフレームの改良に関する。
【背景技術】
【０００２】  従来のポスターフレームは木製又は金属製の４本の棒状部材を組み合わせて４辺からなる枠を構成し、長方形の裏蓋と、同じく長方形の透明な表面部材で構成されている。ポスターを脱着する際には、裏蓋をはずす場合と、４辺の枠のうちの少なくとも１辺をはずして行うのが通常である。またポスターを装着した状態では、ポスターを４辺の枠部分で挟持している。
【考案の開示】
【考案が解決しようとする課題】
【０００３】  しかしながら、このような従来のポスターフレームは、ポスターを脱着する際に、ポスターフレーム全体をいったん設置してある壁面から下ろし、さらにポスターフレームの裏蓋もしくは４辺の枠のうちの少なくとも１辺をはずして作業を行う必要があり、作業性が甚だ悪いという問題があった。また、大型のポスターフレームでは、ポスターおよび表面部材の中央部が４辺の枠からの距離が離れるために、自重あるいは変形によって撓み、中央部が膨らむ不具合が発生しやすいという問題があった。
【課題を解決するための手段】
【０００４】  本考案は、上記の問題点に鑑み、低粘着膜を有する底板上にポスターを軽度に貼着する構造とすることで、上記問題点を防止できるポスターフレームを提供する。
【考案の効果】
【０００５】  本考案のポスターフレームは、底板と、前記底板に隣接して形成もしくは貼着された低粘着膜とからなる低粘着性底板を有することを特徴としており、通常は前記低粘着性底板の４辺近傍にポスターの固定冶具を装着する。ポスターは前記低粘着性底板との密着性の良い平滑な平面状シートを基材として使用する。具体的にはコート紙や合成紙あるいはラミネート加工した紙等である。【０００６】  平滑な平面状シートを基材としたポスターは、底板の低粘着層に軽度に貼着しており、大型のポスターフレームでも中央部が撓むことがない。また、４辺近傍の固定冶具によってポスターが支持されているので、ポスターが剥がれ落ちる恐れはない。また、ポスターの脱着時には、ポスターフレーム全体を設置してある壁面から下ろす必要はなく、設置位置で脱着作業が可能である。【０００７】  ４辺近傍のポスター固定冶具は必ずしも必須ではなく、たとえばポスターを貼着した底板を窓ガラス等に直接圧着して、底板と窓ガラスでポスターを挟持して使用することもできる。
【考案を実施するための最良の形態】
【０００８】  本考案のポスターフレームの低粘着性底板は、ベニヤ製の基材上に低粘着膜を形成した樹脂フィルム等を粘着剤等で貼着して作製することができる。このようにして作製した低粘着性底板の４辺近傍にポスターの固定冶具を取り付ける。また必要に応じて底板の４辺に枠を設けることも可能である。
【実施例】
【０００９】  図１は本考案に基づく実施例を示す斜視図である。１は低粘着膜を有する底板、２は前記底板の４辺に取り付けられた固定冶具を兼ねた枠である。３はコート紙に印刷したポスターである。図２は低粘着膜を有する底板１の断面構造図である。４は厚さ３ｍｍ程度のベニヤ製の基材であり、この基材４に厚さ１００μｍ程度のポリエチレンテレフタレート（ＰＥＴ）フィルム５の前面側に厚さ２０〜５０μｍ程度のシリコンゴム等からなる低粘着層６を積層し、さらにＰＥＴフィルムの裏面側に強粘着層７を形成した低粘着シート８を貼着する。このようにして構成した低粘着層を有する底板１上にポスター３を乗せ、スキージーで軽くなぞることによって、ポスター３を底板１の低粘着層に軽度に貼着させる。さらに底板の４辺に取り付けられた固定冶具２でポスター３を固定する。固定冶具２は枠を兼ねており、ポスターを挟持している状態で枠として機能する。
【図面の簡単な説明】
【００１０】
【図１】  第一の実施例を示した斜視図である。
【図２】  第一の実施例を示した断面構造図である。
【符号の説明】
【００１１】    １  底板
２  固定冶具を兼ねた枠
３  ポスター
４  基材
５  ＰＥＴフィルム
６  低粘着層
７  強粘着層
８  低粘着シート
【図１】
0003115986.tif 000003
【図２】
0003115986.tif 000004
(57)【要約】      （修正有）【課題】汎用で、安全かつ簡単に清掃、掃除作業を行うことができる布材たわしを提供し、環境汚染を良くすることに貢献する。【解決手段】可撓性及び弾性を有する心材１３の周囲を布材１０で被覆した清掃の部分と、清掃部分を手の平より脱落を防ぐ指先を差し込む袋部分１１を備えたことを特徴とする。前記清掃部分をその袋部を境界として手の平側に折り曲げることとした事によって、高所の作業にも手の平と指にて布材たわしを挟んで作業するので、単に指先を差し込んでいるのではなく抜けでない。【選択図】図１              
0003115988.tif 000002
【実用新案登録請求の範囲】
【請求項１】
可撓性及び弾性を有する芯材の周囲を布材で被覆した清掃の部分と、この清掃部分の上面に指先を差し込む袋部とで形成し、而も前記清掃部分をその袋部を境界として、手の平側に折り曲げることとした布材たわし。
【請求項２】
清掃部分はポケット状とし、可撓性及び弾性を有する芯材を出入自在に収納できることを特徴する請求項１記載の布材たわし。
【考案の詳細な説明】
【技術分野】
【０００１】  本考案は、食器、キッチン周り、浴槽、車等の清掃、家具、窓ガラスの掃除等に用いられる布材たわしに関する。
【背景技術】
【０００２】  従来、布材たわしが種々開発されていますが、超極細繊維によるものが多く、それにより滑りが悪く布材たわしから、手の平が脱落するので、上面に脱落を防ぐ指先を差し込む袋部を備える事により解消できる。
【考案の開示】
【考案が解決しょうとする課題】
【０００３】  しかしながら、前記超極細繊維によるものは、メガネ、宝石の様な小さい物はよいが、従来式布材たわしでは、前記清掃用具としては使えない。
【課題を解決するための手段】
【０００４】  本考案に係わる布材たわしは、上述した目的を達成するため、以下の特徴点を備えている。
すなわち、本考案に係わる布材たわしは、手の平から脱落を防ぐ指先を差し込む袋部を備える。又指先を差し込む袋部は、手の平の第３関節まで入り、人差し指と中指、薬指と小指に２口に分かれているため、手の平と布材たわしがより固定する。
【考案の効果】
【０００５】  本考案に係わる布材たわしによれば、高所の作業にも手の平と指にて布材たわしを挟んで作業するので、単に指先を差し込んでいるのではなく抜け出ない。
【０００６】  又、本考案に係わる布材たわしによれば、食器、家具、窓などの縁、鉢、浴槽の肩などは、手の平の第３関節より折り曲げて親指で、布材たわしの先の部分を押さえれば外側と内側が同時に作業が行える。
【０００７】  又、本考案に係わる布材たわしによれば、洗剤なしで汚れが落ちる超極細繊維を使用しても、手の平から脱落を防ぐ指先を差し込む袋部により、心配なく行える。
【考案を実施するための最良の形態】
【０００８】  以下、図面を参照して、本考案に係わる布材たわしの実施形態を説明する。
図１は、本考案の布材たわしの直面図であって、布材たわし本体の清掃部分１０と指先を差し込む袋部分１１よりなつており、図２は、本考案の布材たわしの分解斜視図で。布材たわし本体の清掃部分１０に、可撓性及び弾性を有する心材を出入自在に収納できるポケット１２，又可撓性及び弾性を有する心材１３からなる。図３は、本考案の布材たわしの折り曲げ部分の平面図であって、布材たわしの指先を差し込む袋部分１１に、手の平の第３関節まで、人差し指と中指、薬指と小指に２口に分けて差し込みｈ、布材たわし本体の清掃部分と、指先を差し込む袋部分を境界Ｓとして手の平側に折り曲げ１４、親指Ｈで押さえるからなる。
【実施例】
【０００９】  本考案の実施例に係わる布材たわしは、指先を差し込む袋部分材にリブ、ニットを使用しているので柔軟性が有り、手のサイズに関係なく装着ができる。【００１０】  本考案の実施例に係わる布材たわしは、手の平の第３関節より二つ折れになるので布材たわしの先端を親指で押さえることにより、食器、家具、窓などの縁、鉢、浴槽の肩などの清掃や掃除が、早く楽に行える。【００１１】  本考案の実施例に係わる布材たわしは、高所の清掃や掃除では、布材たわしの脱落の心配がないので安心して作業が行える。
【産業上の利用可能性】
【００１２】  本考案に係わる布材たわしは、多量に食器具を使用する食堂、喫茶店などには、作業効率、安全面からも利用価値が高い。【００１３】  本考案に係わる布材たわしは、ビル、メンテナンスなどの高所作業には、布材たわしが手の平からの脱落の心配がないので作業効率、安全面からも利用価値が高い。【００１４】  本考案に係わる布材たわしは、超極細繊維を使用することにより、高級料亭などで使用する、漆器、高級陶器などにも、傷をつけづ作業が楽におこなえる。。
【図面の簡単な説明】
【００１５】
【図１】  本考案の実施形態に係わる布材たわしの本体の清掃部分と指先を差し込む袋部分の直面図。
【図２】  本考案の実施形態に係わる布材たわし本体の清掃部分材１０と芯材の出入口１２及び芯材１３の分解斜視図。
【図３】  本考案の実施形態に係わる布材たわしの折り曲げ部分の平面と横面図
【符号の説明】
【００１６】  １０  布材
１１  指先を差し込む袋部分
１２  芯材出し入れ口
１３  芯材
１４  ２つ折れ方向
Ｓ  折り曲げ境界点
Ｈ  親指
ｈ  人差し指
【図１】
0003115988.tif 000003
【図２】
0003115988.tif 000004
【図３】
0003115988.tif 000005